(57)【特許請求の範囲】
【請求項１】
ツリー状の階層構造によって構成される複数の機能設定画面を有し、前記機能設定画面は、ユーザーによる第１ボタンの押圧操作により、上位の階層に属する直上の機能設定画面に切替えられ、また、第２ボタンの押圧操作により、下位の階層に属する直下の機能設定画面に切替えられるタッチパネルを有する機能設定装置であって、
前記タッチパネル上におけるユーザーの指の第１方向の移動操作による指示に基づき、前記機能設定画面を、上位の階層に属する直上の機能設定画面を経由せずに、同一の階層に属する別の機能設定画面に直接切替えるための第１画面切替部と、
前記タッチパネル上におけるユーザーの指の第２方向の移動操作による指示に基づき、前記機能設定画面を、上位の階層に属する直上の機能設定画面に切替えるための第２画面切替部と、を有し、
前記第１方向と前記第２方向とは、異なっており、
前記第１方向の移動操作および前記第２方向の移動操作は、フリック操作からなり、
前記第２画面切替部は、前記第２方向の移動操作の強度が閾値を超えた場合、前記機能設定画面を、最上位の階層に属する機能設定画面に直接切替える
ことを特徴とする機能設定装置。
【請求項２】
前記同一の階層に属する機能設定画面は、関連性に差異を有しており、
前記第１画面切替部は、同一の階層に属する別の機能設定画面として、関連性の高い機能設定画面を優先する
ことを特徴とする請求項１に記載の機能設定装置。
【請求項３】
前記第２方向の移動操作の強度は、前記第２方向の移動距離に基づいていることを特徴とする請求項２に記載の機能設定装置。
【請求項４】
前記機能設定画面の設定項目は、上位の階層に属する直上の機能設定画面の設定項目の細目からなることを特徴とする請求項１〜３のいずれか１項に記載の機能設定装置。
【請求項５】
前記第１ボタンおよび前記第２ボタンは、前記タッチパネル上に配置された仮想ボタンあるいは前記タッチパネルに近隣して配置される物理ボタンから構成されることを特徴とする請求項１〜４のいずれか１項に記載の機能設定装置。
【請求項６】
画面切替元である機能設定画面の設定項目を記憶する記憶装置をさらに有しており、
前記第１画面切替部によって直接切替えられた別の機能設定画面は、前記記憶装置に記憶された設定項目の少なくとも一部を、デフォルトとして継承することを特徴とする請求項１〜５のいずれか１項に記載の機能設定装置。
【請求項７】
前記機能設定画面に係る機能は、コピー機能、スキャン機能およびファクシミリ機能を含んでいることを特徴とする請求項１〜６のいずれか１項に記載の機能設定装置。
【請求項８】
ツリー状の階層構造によって構成される複数の機能設定画面を有し、前記機能設定画面は、ユーザーによる第１ボタンの押圧操作により、上位の階層に属する直上の機能設定画面に切替えられて表示され、また、第２ボタンの押圧操作により、下位の階層に属する直下の機能設定画面に切替えられて表示されるタッチパネルを有する機能設定装置の制御プログラムであって、
前記タッチパネル上におけるユーザーの指の第１方向の移動操作による指示に基づき、前記機能設定画面を、上位の階層に属する直上の機能設定画面を経由せずに、同一の階層に属する別の機能設定画面に直接切替えるための第１画面切替手順と、
前記タッチパネル上におけるユーザーの指の第２方向の移動操作による指示に基づき、前記機能設定画面を、上位の階層に属する直上の機能設定画面に切替えるための第２画面切替手順と、を有する処理を
前記機能設定装置に実行させ、
前記第１方向と前記第２方向とは、異なっており、
前記第１方向の移動操作および前記第２方向の移動操作は、フリック操作からなり、
前記第２画面切替手順において、前記第２方向の移動操作の強度が閾値を超えた場合、前記機能設定画面は、最上位の階層に属する機能設定画面に直接切替されることを特徴とする制御プログラム。
【請求項９】
前記同一の階層に属する機能設定画面は、関連性に差異を有しており、
前記第１画面切替手順において、同一の階層に属する別の機能設定画面として、関連性の高い機能設定画面が優先される
ことを特徴とする請求項８に記載の制御プログラム。
【請求項１０】
前記第２方向の移動操作の強度は、前記第２方向の移動距離に基づいていることを特徴とする請求項９に記載の制御プログラム。
【請求項１１】
前記機能設定画面の設定項目は、上位の階層に属する直上の機能設定画面の設定項目の細目からなることを特徴とする請求項８〜１０のいずれか１項に記載の制御プログラム。
【請求項１２】
前記第１ボタンおよび前記第２ボタンは、前記タッチパネル上に配置された仮想ボタンあるいは前記タッチパネルに近隣して配置される物理ボタンから構成されることを特徴とする請求項８〜１１のいずれか１項に記載の制御プログラム。
【請求項１３】
前記処理は、画面切替元である機能設定画面の設定項目を、記憶装置に記憶させる記憶手順をさらに有し、
前記第１画面切替手順において直接切替えられた別の機能設定画面は、前記記憶装置に記憶された設定項目の少なくとも一部を、デフォルトとして継承することを特徴とする請求項８〜１２のいずれか１項に記載の制御プログラム。
【請求項１４】
前記機能設定画面に係る機能は、コピー機能、スキャン機能およびファクシミリ機能を含んでいることを特徴とする請求項８〜１３のいずれか１項に記載の制御プログラム。
【発明の詳細な説明】
【技術分野】
【０００１】
本発明は、機能設定装置および機能設定装置の制御プログラムに関する。
【背景技術】
【０００２】
例えば、コピー機能、プリンター機能およびスキャン機能を有するＭＦＰ（Ｍｕｌｔｉ−Ｆｕｎｃｔｉｏｎ  Ｐｅｒｉｐｈｅｒａｌ）における機能設定画面は、ツリー状の階層構造となっており、機能設定毎に上位階層から下位階層に移動して設定し、別の機能設定を行う場合は、目的とする機能設定画面が、同じ階層に属していても、上位の階層を経由して移動する必要があり、操作が面倒であり、利便性に問題を有している。
【０００３】
一方、複数の機能を有する電子機器（携帯型情報処理装置）において、一の機能が属する階層と他の機能が属する階層との階層関係に基づいて、画面切替時の表示態様を制御することで、操作状態あるいは選択状態を視覚的に容易に把握し、操作性の向上を図るための技術が、提案されている（例えば、特許文献１参照。）。また、電子機器および画像処理装置（画像形成装置）において、ユーザーが求めるプレビュー情報および機能設定情報を、ユーザーに的確に伝達するための技術が、提案されている（例えば、特許文献２参照。）。
【先行技術文献】
【特許文献】
【０００４】
【特許文献１】特開２０００−３４７７８２号公報
【特許文献２】特開２０１１−１６４８３５号公報
【発明の概要】
【発明が解決しようとする課題】
【０００５】
しかし、特許文献１に記載の技術においては、画面切替時の表示態様は、ファンクションホイールを回転させ、一方の表示画面が他方の表示画面を、ディスプレイの画面上で上方向あるいは下方向に押しやるようなイメージで表示画面を切り換えており、機能設定画面がツリー状の階層構造を有することに基づく上記問題を回避することはできない。また、特許文献２に記載の技術においては、機能設定メニューにおける項目を上下方向にスクロース可能に表示することで、上下方向に隠れて表示されていない項目をタッチ操作（スクロール操作）あるいはジェスチャー操作（上下後方へフリック操作）によって表示可能としており、特許文献１に記載の技術と同様に、上記問題を回避することはできない。
【０００６】
本発明は、上記従来技術に伴う課題を解決するためになされたものであり、機能設定画面がツリー状の階層構造を有していても、機能設定操作が簡単かつ利便性に優れた機能設定装置および機能設定装置の制御プログラムを提供することを目的とする。
【課題を解決するための手段】
【０００７】
本発明の上記目的は、下記の手段によって達成される。
【０００８】
（１）ツリー状の階層構造によって構成される複数の機能設定画面を有し、前記機能設定画面は、ユーザーによる第１ボタンの押圧操作により、上位の階層に属する直上の機能設定画面に切替えられ、また、第２ボタンの押圧操作により、下位の階層に属する直下の機能設定画面に切替えられるタッチパネルを有する機能設定装置であって、
前記タッチパネル上におけるユーザーの指の第１方向の移動操作による指示に基づき、前記機能設定画面を、上位の階層に属する直上の機能設定画面を経由せずに、同一の階層に属する別の機能設定画面に直接切替えるための第１画面切替部と、
前記タッチパネル上におけるユーザーの指の第２方向の移動操作による指示に基づき、前記機能設定画面を、上位の階層に属する直上の機能設定画面に切替えるための第２画面切替部と、を有し、
前記第１方向と前記第２方向とは、異なっており、
前記第１方向の移動操作および前記第２方向の移動操作は、フリック操作からなり、
前記第２画面切替部は、前記第２方向の移動操作の強度が閾値を超えた場合、前記機能設定画面を、最上位の階層に属する機能設定画面に直接切替える
ことを特徴とする機能設定装置。
【００１１】
（２）前記同一の階層に属する機能設定画面は、関連性に差異を有しており、
前記第１画面切替部は、同一の階層に属する別の機能設定画面として、関連性の高い機能設定画面を優先する
ことを特徴とする上記（１）に記載の機能設定装置。
【００１３】
（３）前記第２方向の移動操作の強度は、前記第２方向の移動距離に基づいていることを特徴とする上記（２）に記載の機能設定装置。
【００１４】
（４）前記機能設定画面の設定項目は、上位の階層に属する直上の機能設定画面の設定項目の細目からなることを特徴とする上記（１）〜（３）のいずれか１項に記載の機能設定装置。
【００１５】
（５）前記第１ボタンおよび前記第２ボタンは、前記タッチパネル上に配置された仮想ボタンあるいは前記タッチパネルに近隣して配置される物理ボタンから構成されることを特徴とする上記（１）〜（４）のいずれか１項に記載の機能設定装置。
【００１６】
（６）画面切替元である機能設定画面の設定項目を記憶する記憶装置をさらに有しており、
前記第１画面切替部によって直接切替えられた別の機能設定画面は、前記記憶装置に記憶された設定項目の少なくとも一部を、デフォルトとして継承することを特徴とする上記（１）〜（５）のいずれか１項に記載の機能設定装置。
【００１７】
（７）前記機能設定画面に係る機能は、コピー機能、スキャン機能およびファクシミリ機能を含んでいることを特徴とする上記（１）〜（６）のいずれか１項に記載の機能設定装置。
【００１８】
（８）ツリー状の階層構造によって構成される複数の機能設定画面を有し、前記機能設定画面は、ユーザーによる第１ボタンの押圧操作により、上位の階層に属する直上の機能設定画面に切替えられて表示され、また、第２ボタンの押圧操作により、下位の階層に属する直下の機能設定画面に切替えられて表示されるタッチパネルを有する機能設定装置の制御プログラムであって、
前記タッチパネル上におけるユーザーの指の第１方向の移動操作による指示に基づき、前記機能設定画面を、上位の階層に属する直上の機能設定画面を経由せずに、同一の階層に属する別の機能設定画面に直接切替えるための第１画面切替手順と、
前記タッチパネル上におけるユーザーの指の第２方向の移動操作による指示に基づき、前記機能設定画面を、上位の階層に属する直上の機能設定画面に切替えるための第２画面切替手順と、を有する処理を
前記機能設定装置に実行させ、
前記第１方向と前記第２方向とは、異なっており、
前記第１方向の移動操作および前記第２方向の移動操作は、フリック操作からなり、
前記第２画面切替手順において、前記第２方向の移動操作の強度が閾値を超えた場合、前記機能設定画面は、最上位の階層に属する機能設定画面に直接切替されることを特徴とする制御プログラム。
【００２１】
（９）前記同一の階層に属する機能設定画面は、関連性に差異を有しており、
前記第１画面切替手順において、同一の階層に属する別の機能設定画面として、関連性の高い機能設定画面が優先される
ことを特徴とする上記（８）に記載の制御プログラム。
【００２３】
（１０）前記第２方向の移動操作の強度は、前記第２方向の移動距離に基づいていることを特徴とする上記（９）に記載の制御プログラム。
【００２４】
（１１）前記機能設定画面の設定項目は、上位の階層に属する直上の機能設定画面の設定項目の細目からなることを特徴とする上記（８）〜（１０）のいずれか１項に記載の制御プログラム。
【００２５】
（１２）前記第１ボタンおよび前記第２ボタンは、前記タッチパネル上に配置された仮想ボタンあるいは前記タッチパネルに近隣して配置される物理ボタンから構成されることを特徴とする上記（８）〜（１１）のいずれか１項に記載の制御プログラム。
【００２６】
（１３）前記処理は、画面切替元である機能設定画面の設定項目を、記憶装置に記憶させる記憶手順をさらに有し、
前記第１画面切替手順において直接切替えられた別の機能設定画面は、前記記憶装置に記憶された設定項目の少なくとも一部を、デフォルトとして継承することを特徴とする上記（８）〜（１２）のいずれか１項に記載の制御プログラム。
【００２７】
（１４）前記機能設定画面に係る機能は、コピー機能、スキャン機能およびファクシミリ機能を含んでいることを特徴とする上記（８）〜（１３）のいずれか１項に記載の制御プログラム。
【発明の効果】
【００２８】
本発明に係る機能設定装置および機能設定装置の制御プログラムによれば、ツリー状の階層構造によって構成される複数の機能設定画面に属する機能設定画面を、上位の階層に属する直上の機能設定画面を経由せずに、同一の階層に属する別の機能設定画面に直接切替えることが可能である。つまり、従来のような一度上位階層に戻ってからの機能設定画面への移行が不要であり、利便性に優れている。また、画面切替は、タッチパネル上におけるユーザーの指のフリック操作からなる第１方向の移動操作による指示に基づいているため、操作が簡単である。さらに、機能設定画面を、最上位の階層に属する機能設定画面に直接切替えることが可能である。この際、画面切替は、第１方向と異なる、タッチパネル上におけるユーザーの指のフリック操作からなる第２方向の移動操作による指示に基づき、第２方向の移動操作の強度が閾値を超えた場合に実行される。したがって、機能設定画面がツリー状の階層構造を有していても、機能設定操作が簡単かつ利便性に優れた機能設定装置および機能設定装置の制御プログラムを提供することが可能である。
【図面の簡単な説明】
【００２９】
【図１】本発明の実施の形態に係る画像形成装置を説明するための側面図である。
【図２】本発明の実施の形態に係る画像形成装置を説明するためのブロック図である。
【図３】図２に示される第２操作パネルに表示される機能設定画面の階層構造を説明するための概念図である。
【図４】図２に示される１次階層の表示画面を説明するための平面図である。
【図５】図２に示される２次階層の表示画面を説明するための平面図である。
【図６】図２に示される３次階層におけるＣＯＰＹ用紙設定群の表示画面を説明するための平面図である。
【図７】図２に示される３次階層におけるＣＯＰＹ画質設定群の表示画面を説明するための平面図である。
【図８】図２に示される３次階層におけるＳＣＡＮ用紙設定群の表示画面を説明するための平面図である。
【図９】図２に示される３次階層におけるＳＣＡＮ画質設定群の表示画面を説明するための平面図である。
【図１０】図２に示される３次階層におけるＦＡＸ用紙設定群の表示画面を説明するための平面図である。
【図１１】図２に示される３次階層におけるＦＡＸ画質設定群の表示画面を説明するための平面図である。
【図１２】図２に示されるＨＤＤにインストールされている機能設定プログラムに係る第１フリック操作による機能設定画面の画面切替の一例を説明するための概念図である。
【図１３】図２に示されるＨＤＤにインストールされている機能設定プログラムに係る第１フリック操作による機能設定画面の画面切替の別の一例を説明するための概念図である。
【図１４】図２に示されるＨＤＤにインストールされている機能設定プログラムに係る第１フリック操作による機能設定画面の画面切替のさらに別の一例を説明するための概念図である。
【図１５】図２に示されるＨＤＤにインストールされている機能設定プログラムに係る第２フリック操作による機能設定画面の画面切替の一例を説明するための概念図である。
【図１６】図２に示されるＨＤＤにインストールされている機能設定プログラムに係る第３フリック操作による機能設定画面の画面切替の一例を説明するための概念図である。
【図１７Ａ】図２に示されるＨＤＤにインストールされている機能設定プログラムに係る動作を説明するためのフローチャートである。
【図１７Ｂ】図１７Ａに続く動作を説明するためのフローチャートである。
【発明を実施するための形態】
【００３０】
以下、本発明の実施の形態を、図面を参照しつつ説明する。
【００３１】
図１および図２は、本発明の実施の形態に係る画像形成装置を説明するための側面図およびブロック図である。
【００３２】
本発明の実施の形態に係る画像形成装置１００は、コピー機能、スキャン機能およびファクシミリ機能を有するＭＦＰであり、制御部１１０、画像読取部１２０、プリント部１２５、第１操作パネル１３０、第２操作パネル１３５および用紙トレイ部１４０を有する。
【００３３】
制御部１１０は、画像形成装置１００の各部を制御するコントローラーである。画像読取部１２０は、例えば、原稿台に載置される原稿から画像データ（スキャンデータ）を生成するためのＣＣＤ（Ｃｈａｒｇｅ  Ｃｏｕｐｌｅｄ  Ｄｅｖｉｃｅ）イメージセンサを備えているスキャナーからなる。
【００３４】
プリント部１２５は、帯電、露光、現像、転写および定着工程を含む電子写真式プロセス等の作像プロセスを用いて、記録媒体である用紙上に画像を形成（転写）するエンジンを有しており、制御部１１０とコマンド／ステータス通信を実行し、制御部１１０からの画像データを受付け、印刷し、画像が形成された用紙は、排出される。印刷（画像形成）は、電子写真式プロセスを利用する形態に限定されず、例えば、インパクト方式、熱転写方式、インクジェット方式を適宜適用することが可能である。
【００３５】
第１操作パネル１３０は、タッチパネルおよびキーボードを有する。タッチパネルは、各種の指示（入力）をユーザーが行うために使用される入力装置と、マシンステータス情報をユーザーに提示するために使用される出力装置と、を兼ねている。マシンステータス情報は、例えば、機器構成、プリントジョブの進行状況、エラーの発生状況、現在変更可能な設定である。キーボードは、文字入力、各種設定、スタート指示などの各種指示（入力）をユーザーが行うために使用される第２の入力装置であり、例えば、コピー枚数等を設定するテンキー、動作の開始を指示するスタートキー、動作の停止を指示するストップキー等からなる複数のキーを有している。
【００３６】
第２操作パネル１３５は、無線ＬＡＮ（Ｌｏｃａｌ  Ａｒｅａ  Ｎｅｔｗｏｒｋ）機能を有するタブレットコンピューターからなり、第１操作パネル１３０を補助し、機能設定画面を表示するために使用されるタッチパネルを有する。タブレットコンピューターのＯＳ（オペレーティングシステム）は、例えば、ｉＯＳ、Ａｎｄｒｏｉｄ（登録商標）、Ｍｉｃｒｏｓｏｆｔ  Ｗｉｎｄｏｗｓ（登録商標）である。
【００３７】
用紙トレイ部１４０は、画像が形成される用紙を収容（保管）するために使用され、給紙トレイや手差しトレイを有する。手差しトレイは、用紙に対するユーザーの多様なニーズに対応するために設けられており、例えば、給紙トレイに収容されていない用紙が積載される。
【００３８】
なお、第２操作パネル１３５は、タブレットコンピューターに限定されず、専用機器や、タッチパネルが組み込まれた携帯電話やスマートフォンを適宜適用することも可能である。また、必要に応じて、第２操作パネル１３５を省略し、第２操作パネル１３５の機能を第１操作パネル１３０に組み込むことも可能である。
【００３９】
次に、図２を参照し、制御部１１０を詳述する。
【００４０】
制御部１１０は、ＣＰＵ１１１、ＲＡＭ１１２、ＲＯＭ１１３、ＨＤＤ１１４、ＬＡＮインターフェース１１５、ＵＳＢインターフェース１１６、ＦＡＸ通信部１１７および画像処理部１１８，１１９を有する。
【００４１】
ＣＰＵ１１１は、プログラムにしたがって上記各部の制御や各種の演算処理を実行するマイクロプロセッサ等から構成される制御回路であり、画像形成装置１００の各機能は、それに対応する制御プログラムをＣＰＵ１１１が実行することにより発揮される。
【００４２】
ＲＡＭ１１２は、作業領域として一時的にプログラムおよびデータを記憶する高速のランダムアクセス記憶装置である。ＲＯＭ１１３は、各種処理プログラム（例えば、ＣＰＵ１１１の制御プログラム）を記憶する読取り専用の記憶装置である。記憶されているプログラムは、ＣＰＵ１１１により必要に応じて読み出され、ＲＡＭ１１２上で実行処理される。
【００４３】
ＨＤＤ１１４は、各種制御プログラムおよび各種データを記憶する大容量の磁気ディスク装置である。記憶されているプログラムは、ＣＰＵ１１１により必要に応じて読み出され、ＲＡＭ１１２上で実行処理される。ＨＤＤ１１４は、例えば、ＲＡＭ１１２より長い期間データを記憶する場合に使用される。記憶されているデータは、各種演算処理結果、画像読取部１２０から転送された画像データ、ＬＡＮインターフェース１１５やＵＳＢインターフェース１１６を経由して転送された画像データ等である。なお、ＨＤＤ１１１４にインストール（記憶）されている制御プログラムは、後述される機能設定プログラムを含んでいる。
【００４４】
必要に応じ、ＨＤＤ１１４に記憶されるプログラムやデータの一部を、ＲＯＭ１１３に記憶したり、ＲＯＭ１１３に記憶されるプログラムやデータの一部を、ＨＤＤ１１４に記憶することも可能である。また、ＨＤＤ１１４の代わりに、大容量の半導体メモリを適用したり、適宜、ＨＤＤ１１４を省略することも可能である。
【００４５】
ＬＡＮインターフェース１１５は、所謂ＬＡＮボードからなる通信部であり、ネットワークを経由して第２操作パネル１３５に接続し、データの送受信を実行するための通信機能を追加する拡張装置である。ネットワークは、無線ＬＡＮのアドホックモードで構築されており、第２操作パネル１３５と直接無線接続されている。なお、アクセスポイントを経由して接続を行うインフラストラクチャモードを適用することも可能であり、この場合、ＬＡＮインターフェース１１５は、アクセスポイントと接続されることとなる。ネットワークプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００４６】
ＵＳＢインターフェース１１６は、ＵＳＢ（Ｕｎｉｖｅｒｓａｌ  Ｓｅｒｉａｌ  Ｂｕｓ）規格に準拠したデバイス（周辺機器）と通信する入出力装置である。デバイスは、例えば、ＵＳＢメモリであり、画像形成装置１００からのスキャンデータを記憶したり、記憶されているファイルを画像形成装置１００で印刷するために利用される。
【００４７】
ＦＡＸ通信部１１７は、所謂ＦＡＸモデムからなり、電話回線を介して他のファクシミリ端末との間で、Ｇ３  ＦＡＸ（Ｇｒｏｕｐ  ３  Ｆａｃｓｉｍｉｌｅ）等のプロトコルを利用し、画像データの送受信を実行するために使用される。
【００４８】
画像処理部１１８，１１９は，例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）からなる。画像処理部１１８は、画像読取部１２０からのスキャンデータを画像処理し、生成された画像データをＣＰＵ１１１へ転送し、画像処理部１１９は、ＣＰＵ１１１からの印刷ジョブを画像処理し、生成された画像データをプリント部１２５へ転送する。例えば、画像処理部１１８に係る画像処理は、Ａ／Ｄ変換、シェーディング補正、フィルター処理、画像圧縮処理であり、画像処理部１１９に係る画像処理は、印刷ジョブに含まれる画像データをプリント部１２５で用いるラスターイメージデータに変換するＲＩＰ処理（Ｒａｓｔｅｒ  Ｉｍａｇｅ  Ｐｒｏｃｅｓｓｉｎｇ）である。画像処理部１１８，１１９は、専用のハードウェア回路によって構成する形態に限定されず、各種の演算処理を実行するマイクロプロセッサ等から構成される制御回路においてプログラムを実行することにより、その機能を発揮させることも可能である。
【００４９】
なお、第２操作パネル１３５との接続は、無線ＬＡＮを利用する形態に限定されず、２．４ＧＨｚ帯の電波を利用するＢｌｕｅｔｏｏｔｈ（登録商標）等の他の無線通信方式や、有線ＬＡＮ、ＵＳＢ、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４、ＩＥＥＥ１２８４等の有線接続を適用することも可能である。
【００５０】
次に、第２操作パネルに表示される機能設定画面を説明する。
【００５１】
図３は、図２に示される第２操作パネルに表示される機能設定画面の階層構造を説明するための概念図、図４は、図２に示される１次階層の表示画面を説明するための平面図、図５は、図２に示される２次階層の表示画面を説明するための平面図、図６、図７、図８、図９、図１０および図１１は、図２に示される３次階層におけるＣＯＰＹ用紙設定群、ＣＯＰＹ画質設定群、ＳＣＡＮ用紙設定群、ＳＣＡＮ画質設定群、ＦＡＸ用紙設定群およびＦＡＸ画質設定群の表示画面を説明するための平面図である。
【００５２】
第２操作パネル１３５における機能設定画面は、ツリー状の階層構造によって構成されており、本実施の形態においては、図３に示されるように、最上位の階層である１次階層、最下位の階層である３次階層、最上位の階層と最下位の階層との間の中位の階層である２次階層を有し、ユーザーによる第１ボタンの押圧操作により、上位の階層に属する直上の機能設定画面に切替えられ、また、第２ボタンの押圧操作により、下位の階層に属する直下の機能設定画面に切替えられるように構成されている。なお、機能設定画面は、階層レベル情報を有しており、表示されている画面の階層レベルを管理可能であり、これにより、どの階層における機能設定画面の画面切替であるかが把握される。また、下位階層に属する機能設定画面は、階層レベル情報に加えて、設定機能別のグループ識別情報を有している。
【００５３】
１次階層に属する（位置する）機能設定画面は、コピー機能、スキャン機能、ファクシミリ機能から設定を変更する機能を選択するための機能選択画面であり、図４に示されるトップメニュー画面１５０からなる。トップメニュー画面１５０は、２次階層に属する直下の機能設定画面に進むための選択ボタン（第２ボタン）であるＣＯＰＹボタン１５０Ａ、ＳＣＡＮボタン１５０ＢおよびＦＡＸボタン１５０Ｃが配置されている。
【００５４】
２次階層に属する機能設定画面は、トップメニュー画面１５０から分岐する詳細機能選択画面であり、図５に示されるように、ＣＯＰＹボタン１５０Ａを押圧することにより表示されるＣＯＰＹ機能選択画面１６０、ＳＣＡＮボタン１５０Ｂを押圧することにより表示されるＳＣＡＮ機能選択画面１７０およびＦＡＸボタン１５０Ｃを押圧することにより表示されるＦＡＸ機能選択画面１８０を有する。
【００５５】
ＣＯＰＹ機能選択画面１６０は、３次階層に属する直下の機能設定画面に進むための選択ボタン（第２ボタン）である片面／両面ボタン１６０Ａ、用紙サイズボタン１６０Ｂ、倍率設定ボタン１６０Ｃ、集約ボタン１６０Ｄ、画質ボタン１６０Ｅおよび濃度ボタン１６０Ｆと、１次階層（トップメニュー画面１５０）に移動するための戻るボタン（第１ボタン）１６０Ｇが配置されている。
【００５６】
ＳＣＡＮ機能選択画面１７０は、３次階層に属する直下の機能設定画面に進むための選択ボタン（第２ボタン）である片面／両面ボタン１７０Ａ、ファイル形式ボタン１７０Ｂ、倍率設定ボタン１７０Ｃ、集約ボタン１７０Ｄ、画質ボタン１７０Ｅおよび濃度ボタン１７０Ｆと、１次階層（トップメニュー画面１５０）に移動するための戻るボタン（第１ボタン）１７０Ｇが配置されている。
【００５７】
ＦＡＸ機能選択画面１８０は、３次階層に属する直下の機能設定画面に進むための選択ボタン（第２ボタン）である片面／両面ボタン１８０Ａ、倍率設定ボタン１８０Ｃ、集約ボタン１８０Ｄ、画質ボタン１８０Ｅおよび濃度ボタン１８０Ｆと、１次階層（トップメニュー画面１５０）に移動するための戻るボタン（第１ボタン）１８０Ｇが配置されている。
【００５８】
３次階層に属する機能設定画面は、ＣＯＰＹ機能選択画面１６０から分岐する詳細設定画面１６１〜１６３および１６６〜１６８、ＳＣＡＮ機能選択画面１７０から分岐する詳細設定画面１７１〜１７３および１７６〜１７８、ＦＡＸ機能選択画面１８０から分岐する詳細設定画面１８１，１８２および１８６〜１８８を有し、その設定項目は、上位の階層に属する直上の機能設定画面の設定項目の細目からなる。
【００５９】
次に、図６を参照し、ＣＯＰＹ機能選択画面１６０から分岐する詳細設定画面１６１〜１６３を説明する。
【００６０】
詳細設定画面１６１は、集約ボタン１６０Ｄを押圧することにより表示される集約設定画面であり、２ｉｎ１あるいは４ｉｎ１を選択するための設定ボタンと、２次階層に属する直上のＣＯＰＹ機能選択画面１６０に移動するための戻るボタン（第１ボタン）１６１Ｇが配置されている。２ｉｎ１は、原稿２枚毎に１枚の用紙上に出力する設定であり、４ｉｎ１は、原稿４枚毎に１枚の用紙上に出力する設定である。
【００６１】
詳細設定画面１６２は、用紙サイズボタン１６０Ｂを押圧することにより表示される用紙設定画面であり、所望するサイズの用紙が収容(配置)されている用紙トレイ部１４０の給紙トレイや手差しトレイを指定するための設定ボタンと、２次階層に属する直上のＣＯＰＹ機能選択画面１６０に移動するための戻るボタン（第１ボタン）１６２Ｇが配置されている。
【００６２】
詳細設定画面１６３は、片面／両面ボタン１６０Ａを押圧することにより表示される片面／両面設定画面であり、印刷モードを選択するための設定ボタンと、２次階層に属する直上のＣＯＰＹ機能選択画面１６０に移動するための戻るボタン（第１ボタン）１６３Ｇが配置されている。印刷モードは、１枚の原稿の片面に形成された画像を１枚の用紙の片面に印刷する片面→片面モード、２枚の原稿の片面に形成された画像を１枚の用紙の両面にそれぞれ印刷する片面→両面モード、１枚の原稿の両面に形成された画像を２枚の用紙の片面にそれぞれ印刷する両面→片面モードおよび１枚の原稿の両面に形成された画像を１枚の用紙の両面にそれぞれ印刷する両面→両面モードである。
【００６３】
次に、図７を参照し、ＣＯＰＹ機能選択画面１６０から分岐する詳細設定画面１６６〜１６８を説明する。
【００６４】
詳細設定画面１６６は、画質ボタン１６０Ｅを押圧することにより表示される画質設定画面であり、原稿画質に応じた処理を実行するために原稿画質を指定するための設定ボタンと、２次階層に属する直上のＣＯＰＹ機能選択画面１６０に移動するための戻るボタン（第１ボタン）１６６Ｇが配置されている。原稿画質は、文字、写真、文字／写真に分類される。
【００６５】
詳細設定画面１６７は、濃度ボタン１６０Ｆを押圧することにより表示される濃度設定画面であり、所望する濃度を設定するための設定ボタンと、２次階層に属する直上のＣＯＰＹ機能選択画面１６０に移動するための戻るボタン（第１ボタン）１６７Ｇが配置されている。
【００６６】
詳細設定画面１６８は、倍率設定ボタン１６０Ｃを押圧することにより表示される倍率定画面であり、出力倍率を任意に設定するための設定ボタン、出力倍率が自動に設定されるボタン、２次階層に属する直上のＣＯＰＹ機能選択画面１６０に移動するための戻るボタン（第１ボタン）１６８Ｇが配置されている。
【００６７】
なお、集約設定画面１６１、用紙設定画面１６２およびる片面／両面設定画面１６３は、用紙設定群で参照され、画質設定画面１６６、濃度設定画面１６７およびる倍率設定画面１６８は、画質設定群で参照される。
【００６８】
次に、図８を参照し、ＳＣＡＮ機能選択画面１７０から分岐する詳細設定画面１７１〜１７３を説明する。
【００６９】
詳細設定画面１７１は、集約ボタン１７０Ｄを押圧することにより表示される集約設定画面であり、ＣＯＰＹ機能選択画面１６０から分岐する集約設定画面１６１と略一致する構成を有し、２次階層に属する直上のＳＣＡＮ機能選択画面１７０に移動するための戻るボタン（第１ボタン）１７１Ｇが配置されている。
【００７０】
詳細設定画面１７２は、ファイル形式ボタン１７０Ｂを押圧することにより表示されるファイル形式設定画面であり、ファイル形式を選択するための設定ボタンと、２次階層に属する直上のＳＣＡＮ機能選択画面１７０に移動するための戻るボタン（第１ボタン）１７２Ｇが配置されている。ファイル形式は、ＰＤＦ（Ｐｏｒｔａｂｌｅ  Ｄｏｃｕｍｅｎｔ  Ｆｏｒｍａｔ）、ＴＩＦＦ（Ｔａｇｇｅｄ  Ｉｍａｇｅ  Ｆｉｌｅ  Ｆｏｒｍａｔ）およびＪＰＥＧ（Ｊｏｉｎｔ  Ｐｈｏｔｏｇｒａｐｈｉｃ  Ｅｘｐｅｒｔｓ  Ｇｒｏｕｐ）である。
【００７１】
ファイル形式は、前記方式に限定されず、例えば、ＧＩＦ（Ｇｒａｐｈｉｃｓ  Ｉｎｔｅｒｃｈａｎｇｅ  Ｆｏｒｍａｔ）、ＢＭＰ（Ｂｉｔｍａｐ）、ＰＮＧ（Ｐｏｒｔａｂｌｅ  Ｎｅｔｗｏｒｋ  Ｇｒａｐｈｉｃｓ）、Ｍｉｃｒｏｓｏｆｔ(登録商標）  Ｗｏｒｄ文書形式、Ｍｉｃｒｏｓｏｆｔ  Ｅｘｃｅｌ(登録商標)文書形式、Ｍｉｃｒｏｓｏｆｔ  ＰｏｗｅｒＰｏｉｎｔ(登録商標)文書形式を適宜適用することが可能である。なお、Ｍｉｃｒｏｓｏｆｔ(登録商標）  Ｗｏｒｄ文書形式、Ｍｉｃｒｏｓｏｆｔ  Ｅｘｃｅｌ(登録商標)文書形式、Ｍｉｃｒｏｓｏｆｔ  ＰｏｗｅｒＰｏｉｎｔ(登録商標)文書形式は、例えば、ＯＣＲ（Ｏｐｔｉｃａｌ  Ｃｈａｒａｃｔｅｒ  Ｒｅｃｏｇｎｉｔｉｏｎ）処理によりテキスト情報を付加して作成される。
【００７２】
詳細設定画面１７３は、片面／両面ボタン１７０Ａを押圧することにより表示される片面／両面設定画面であり、ＣＯＰＹ機能選択画面１６０から分岐する片面／両面設定画面１６１と略一致する構成を有し、２次階層に属する直上のＳＣＡＮ機能選択画面１７０に移動するための戻るボタン（第１ボタン）１７３Ｇが配置されている。
【００７３】
次に、図９を参照し、ＳＣＡＮ機能選択画面１７０から分岐する詳細設定画面１７６〜１７８を説明する。
【００７４】
詳細能設定画面１７６は、画質ボタン１７０Ｅを押圧することにより表示される画質設定画面であり、ＣＯＰＹ機能選択画面１６０から分岐する画質設定画面１６６と略一致する構成を有し、２次階層に属する直上のＳＣＡＮ機能選択画面１７０に移動するための戻るボタン（第１ボタン）１７６Ｇが配置されている。
【００７５】
詳細設定画面１７７は、濃度ボタン１７０Ｆを押圧することにより表示される濃度設定画面であり、ＣＯＰＹ機能選択画面１６０から分岐する濃度設定画面１６７と略一致する構成を有し、２次階層に属する直上のＳＣＡＮ機能選択画面１７０に移動するための戻るボタン（第１ボタン）１７７Ｇが配置されている。
【００７６】
詳細設定画面１７８は、倍率設定ボタン１７０Ｃを押圧することにより表示される倍率設定画面であり、ＣＯＰＹ機能選択画面１６０から分岐する倍率設定画面１６８と略一致する構成を有し、２次階層に属する直上のＳＣＡＮ機能選択画面１７０に移動するための戻るボタン（第１ボタン）１７８Ｇが配置されている。
【００７７】
次に、図１０を参照し、ＦＡＸ機能選択画面１８０から分岐する詳細設定画面１８１，１８２を説明する。
【００７８】
詳細設定画面１８１は、集約ボタン１８０Ｄを押圧することにより表示される集約設定画面であり、ＣＯＰＹ機能選択画面１６０から分岐する集約設定画面１６１と略一致する構成を有し、２次階層に属する直上のＦＡＸ機能選択画面１８０に移動するための戻るボタン（第１ボタン）１８１Ｇが配置されている。。
【００７９】
詳細設定画面１８２は、片面／両面ボタン１８０Ａを押圧することにより表示される片面／両面設定画面であり、ＣＯＰＹ機能選択画面１６０から分岐する片面／両面設定画面１６１と略一致する構成を有し、２次階層に属する直上のＦＡＸ機能選択画面１８０に移動するための戻るボタン（第１ボタン）１８３Ｇが配置されている。
【００８０】
次に、図１１を参照し、ＦＡＸ機能選択画面１８０から分岐する詳細設定画面１８６〜１８８を説明する。
【００８１】
詳細設定画面１８６は、画質ボタン１８０Ｅを押圧することにより表示される画質設定画面であり、ＣＯＰＹ機能選択画面１６０から分岐する画質設定画面１６６と略一致する構成を有し、２次階層に属する直上のＦＡＸ機能選択画面１８０に移動するための戻るボタン（第１ボタン）１８６Ｇが配置されている。
【００８２】
詳細設定画面１８７は、濃度ボタン１８０Ｆを押圧することにより表示される濃度設定画面であり、ＣＯＰＹ機能選択画面１６０から分岐する濃度設定画面１６７と略一致する構成を有し、２次階層に属する直上のＦＡＸ機能選択画面１８０に移動するための戻るボタン（第１ボタン）１８７Ｇが配置されている。
【００８３】
詳細設定画面１８８は、倍率設定ボタン１８０Ｃを押圧することにより表示される倍率設定画面であり、ＣＯＰＹ機能選択画面１６０から分岐する倍率設定画面１６８と略一致する構成を有し、２次階層に属する直上のＦＡＸ機能選択画面１８０に移動するための戻るボタン（第１ボタン）１８８Ｇが配置されている。
【００８４】
第２操作パネルにおける機能設定画面は、上記のように、ツリー状の階層構造となっており、１次階層に属する機能設定画面は、２次階層に属する直下の機能設定画面に移動するためのボタンを有し、２次階層の機能設定画面は、３次階層に属する直下の３次階層の機能設定画面に移動するためのボタンと、１次階層に属する直上の機能設定画面に戻るためのボタンとを有し、３次階層に属する機能設定画面は、２次階層に属する直上の機能設定画面に戻るためのボタンを有する。したがって、１次階層の機能設定画面のメニュー項目（ボタン）および２次階層の機能設定画面のメニュー項目（ボタン）を順次選択することで、３次階層の機能設定画面（詳細設定画面）に進むことが可能であり、また、同一階層の機能設定画面に移動する場合、上位の階層を経由することが必要である。なお、第２操作パネル１３５における機能設定画面の階層は、３層に限定されず、必要に応じて２層あるいは４層以上とすることも可能である。また、ＭＦＰの機能（操作）項目の分類および細分化は、適宜変更することが可能である。
【００８５】
次に、機能設定プログラムを説明する。
【００８６】
図１２、図１３、図１４、図１５および図１６は、図２に示されるＨＤＤにインストールされている機能設定プログラムに係る第１フリック操作による機能設定画面の画面切替の一例、第１フリック操作による機能設定画面の画面切替の別の一例、第１フリック操作による機能設定画面の画面切替のさらに別の一例、第２フリック操作による機能設定画面の画面切替の一例および第３フリック操作による機能設定画面の画面切替の一例を説明するための概念図である。
【００８７】
機能設定プログラムは、機能設定画面間の移動（機能設定画面の画面切替）を迅速に実行する機能を有し、画面切替は、第２操作パネル１３５上におけるユーザーの指の移動操作による指示に基づいているため、操作が簡単である。
【００８８】
ユーザーの指の移動操作は、本実施の形態においては、指のスライド（弾き）動作により構成される第１〜３フリック操作から構成される。第１フリック操作は、第１方向（図上の左右方向）の移動操作である。第２フリック操作は、第２方向（図上の上下方向）の移動操作である。第３フリック操作は、第２方向（図上の上下方向）の移動操作であり、強度が大きい点で、第２フリック操作と異なっている。なお、第１〜３フリック操作の方向は、上記形態に限定されない。
【００８９】
具体的には、機能設定画面において第１フリック操作を実行する場合、同一の階層に属する他の機能設定画面に直接移動する（上位階層に属する直上の機能設定画面を経由することなく移動する）ことが可能である。
【００９０】
同一の階層に属する機能設定画面が関連性に差異を有する場合、操作性を向上させるためには、移動先の機能設定画面（機能設定画面を表示する順番）は、最初に選択した機能設定画面に応じて変更すること（関連性の高い機能設定画面を優先すること）が好ましい。これにより、所望の機能設定画面が表示されるまでの画面切替（第１フリック操作）の回数を、最小化することが可能である。
【００９１】
例えば、図１２に示されるように、ＣＯＰＹ設定に係る集約設定画面１６１において第１フリック操作が検出された場合、集約設定画面１６１から用紙設定画面１６２へ切替わる（ＣＯＰＹ用紙設定群の機能設定画面が優先的に表示される）。そして、第１フリック操作をさらに繰り返すことにより、片面／両面設定画面１６３、倍率設定画面１６８、濃度設定画面１６７、画質設定画面１６６の順で、画面が切替わり、最終的に集約設定画面１６１に戻ることになる。
【００９２】
また、図１３に示されるように、ＣＯＰＹ設定に係る濃度設定画面１６７において第１フリック操作が検出された場合、濃度設定画面１６７から画質設定画面１６６へが切替わる（ＣＯＰＹ画質設定群の機能設定画面を優先的に表示される）。また、第１フリック操作をさらに繰り返すことにより、用紙設定画面１６２、倍率設定画面１６８、片面／両面設定画面１６３、集約設定画面１６１の順で、画面が切替わり、最終的に濃度設定画面１６７に戻ることになる。
【００９３】
第１フリック操作による機能設定画面の移動は、３次階層に限定されず、図１４に示されるように、２次階層に適用することも可能である。この場合、最初に選択した機能設定画面に係る設定項目は、移動先の機能設定画面に係る設定項目に継承させる（デフォルト値として利用する）ことが好ましく、これにより、再設定の手間を省き、操作性を向上させることが可能である。設定項目は、例えば、ＨＤＤ１１４に記憶される。
【００９４】
例えば、図１４に示されるように、ＣＯＰＹ機能選択画面１６０の下位の詳細設定画面において、片面／両面、用紙サイズ、画質が設定されている状態で、ＣＯＰＹ機能選択画面１６０において第１フリック操作が検出された場合、ＳＣＡＮ機能選択画面１７０およびＦＡＸ機能選択画面１８０の下位の詳細設定画面に係る片面／両面の読取設定および画質設定を継承する。これにより、ＳＣＡＮ機能選択画面１７０およびＦＡＸ機能選択画面１８０にて再度設定をし直す手間が省くことが可能である。
【００９５】
継承された設定は、区別することが好ましい。例えば、ＣＯＰＹ機能選択画面１６０の下位の詳細設定画面において、片面／両面、用紙サイズ、画質の設定を変更した場合、図１４のＣＯＰＹ機能選択画面１６０においては、変更したボタンの画面表示色を、他のボタンと異ならせる。そして、第１フリック操作によって切り替わったＳＣＡＮ機能選択画面１７０においては、設定が継承された設定に対応する選択ボタン（片面／両面ボタンおよび画質ボタン）の画面表示色を、他のボタンと異ならせる。また、ＦＡＸ機能選択画面１８０においても同様に、設定が継承された設定に対応する選択ボタン（片面／両面ボタンおよび画質ボタン）の色を、他のボタンと異ならせる。
【００９６】
設定の継承は、画面表示色によって区別する形態に限定されず、音やそれ以外の方法を利用してユーザーに通知することも可能である。
【００９７】
次に、第２フリック操作および第３フリック操作を詳述する。
【００９８】
第２フリック操作は、第１フリック操作の第１方向と異なる第２方向（図上の上下方向）の移動操作である。具体的には、機能設定画面において第２フリック操作を実行する場合、戻るボタンの操作をすることなく、上位階層に属する直上の機能設定画面に移動することが可能である。
【００９９】
例えば、図１５に示されるように、第３階層のＣＯＰＹ設定に係る集約設定画面１６１において第２フリック操作が検出された場合、集約設定画面１６１から第２階層に属する直上のＣＯＰＹ機能選択画面１６０へが切替わる。そして、第３フリック操作をさらに繰り返すことにより、第１階層に属する直上のトップメニュー画面１５０に戻ることになる。
【０１００】
第３フリック操作は、第２方向（図上の上下方向）の移動操作であり、強度が大きい点で、第２フリック操作と異なる。具体的には、機能設定画面において第３フリック操作を実行する場合、戻るボタンの操作をすることなく、最上位の階層に属する直上の機能設定画面に移動することが可能である。
【０１０１】
例えば、図１６に示されるように、第３階層のＣＯＰＹ設定に係る集約設定画面１６１において第３フリック操作が検出（第２フリック操作の強度が閾値を超えていることが検出）された場合、第２階層に属する直上のＣＯＰＹ機能選択画面１６０を経由することなく、集約設定画面１６１から第１階層に属するトップメニュー画面１５０に戻ることになる。したがって、第２フリック操作を２度行わなくても第１階層の画面を瞬時に表示することが可能である。
【０１０２】
強度は、本実施の形態においては、第２フリック操作にける第２方向の移動距離に基づいているが、特に限定されず、例えば、移動速度や押圧力を利用することも可能である。
【０１０３】
次に、機能設定プログラムに係る動作を説明する。
【０１０４】
図１７Ａおよび図１７Ｂは、図２に示されるＨＤＤにインストールされている機能設定プログラムに係る動作を説明するためのフローチャートである。なお、図１７Ａおよび図１７Ｂに示されるフローチャートにより示されるアルゴリズムは、ＨＤＤ１１４に機能設定プログラムとして記憶されており、ＣＰＵ１１１によって実行される。
【０１０５】
まず、ユーザーによって第２操作パネル２１０が操作され、１次階層に属する機能選択画面（機能設定画面）であるトップメニュー画面(図４参照）が表示され（ステップＳ１０１）、トップメニュー画面１５０における選択ボタンの押圧（タッチ）の有無が検出される（ステップＳ１０２）。
【０１０６】
トップメニュー画面１５０における選択ボタンの押圧が検出された場合（ステップＳ１０２：Ｙｅｓ）、押圧が検出された選択ボタンに応じて、２次階層に属する直下の詳細機能選択画面（機能設定画面）(図５参照）が表示される（ステップＳ１０３）。
【０１０７】
次に、戻るボタンの押圧の有無が検出される（ステップＳ１０４）。戻るボタンの押圧が検出された場合（ステップＳ１０４：Ｙｅｓ）、実行順序は、ステップＳ１０１に戻り、１次階層に属する直上のトップメニュー画面が表示される。
【０１０８】
戻るボタンの押圧が検出されない場合（ステップＳ１０４：Ｎｏ）、選択ボタンの押圧の有無が検出される（ステップＳ１０５）。選択ボタンの押圧が検出された場合（ステップＳ１０５：Ｙｅｓ）、押圧が検出された選択ボタンに応じて、３次階層に属する直下の詳細設定画面（機能設定画面）(図６〜１１参照）が表示される（ステップＳ１０６）。
【０１０９】
次に、戻るボタンの押圧の有無が検出される（ステップＳ１０７）。戻るボタンの押圧が検出された場合（ステップＳ１０７：Ｙｅｓ）、実行順序は、ステップＳ１０３に戻り、２次階層に属する直上の詳細機能選択画面が表示される。
【０１１０】
戻るボタンの押圧が検出されない場合（ステップＳ１０７：Ｎｏ）、設定ボタンの押圧の有無が検出される（ステップＳ１０８）。設定ボタンの押圧が検出された場合（ステップＳ１０８：Ｙｅｓ）、設定内容がＨＤＤ１１４に記憶され（ステップＳ１０９）、設定変更の有無を示すフラグＦｌａｇに「１」が代入され（ステップＳ１１０）、実行順序は、ステップＳ１０７に戻り、戻るボタンの押圧の有無が検出される。
【０１１１】
ステップＳ１０５において、選択ボタンの押圧が検出されない場合（Ｎｏ）、第２フリック操作の有無が検出される（ステップＳ１１１）。第２フリック操作が検出された場合（ステップＳ１１１：Ｙｅｓ）、実行順序は、ステップＳ１０１に戻り、１次階層に属する直上のトップメニュー画面が表示される（図１５参照）。
【０１１２】
第２フリック操作が検出されない場合（ステップＳ１１１：Ｎｏ）、第１フリック操作の有無が検出される（ステップＳ１１２）。第１フリック操作が検出されない場合（ステップＳ１１２：Ｎｏ）、実行順序は、ステップＳ１０４に戻り、戻るボタンの押圧の有無が検出される。
【０１１３】
第１フリック操作が検出された場合（ステップＳ１１２：Ｙｅｓ）、３次階層に属する直下の詳細設定画面における設定変更の有無を示すフラグＦｌａｇ値が「１」であるか否かが検出される（ステップＳ１１３）。フラグＦｌａｇの値が「１」でないと検出された場合（ステップＳ１１３：Ｎｏ）、２次階層（同一階層）に属する次の詳細機能選択画面が表示され（図１４参照）、実行順序は、ステップＳ１０４に戻り、戻るボタンの押圧の有無が検出される。
【０１１４】
フラグＦｌａｇの値が「１」であると検出された場合（ステップＳ１１３：Ｙｅｓ）、第１フリック操作による移動先の詳細機能選択画面に係る設定項目に、設定変更を継承させるため、３次階層に属する直下の詳細設定画面における設定変更内容をデフォルト値として設定する（ステップＳ１１５）。そして、移動先の次の詳細機能選択画面を表示する（ステップＳ１１６）。この際、設定の継承が、画面表示色によってユーザーに通知される（図１４参照）。その後、実行順序は、ステップＳ１０４に戻り、戻るボタンの押圧の有無が検出される。
【０１１５】
ステップＳ１０８において、設定ボタンの押圧が検出されない場合（Ｎｏ）、第２フリック操作の有無が検出される（ステップＳ１１７）。
【０１１６】
第２フリック操作が検出されない場合（ステップＳ１１７：Ｎｏ）、第１フリック操作の有無が検出される（ステップＳ１１８）。第１フリック操作が検出されない場合（ステップＳ１１８：Ｎｏ）、実行順序は、ステップＳ１０７に戻り、戻るボタンの押圧の有無が検出される。一方、第１フリック操作が検出された場合（ステップＳ１１８：Ｙｅｓ）、２次階層（同一階層）に属する次の詳細機能選択画面が表示された後（ステップＳ１１９）、実行順序は、ステップＳ１０７に戻り、戻るボタンの押圧の有無が検出される。
【０１１７】
ステップＳ１１７において、第２フリック操作が検出された場合（Ｙｅｓ）、第３フリック操作の有無が検出される（ステップＳ１２０）。第３フリック操作が検出されない場合（ステップＳ１２０：Ｎｏ）、実行順序は、ステップＳ１０３に戻り、２次階層に属する直上の詳細機能選択画面が表示される（図１５参照）。
【０１１８】
第３フリック操作が検出された場合（ステップＳ１２０：Ｙｅｓ）、実行順序は、ステップＳ１０１に戻り、２次階層に属する直上の詳細機能選択画面が表示されることなく、１次階層に属する機能選択画面であるトップメニュー画面が表示される（図１６参照）。
【０１１９】
以上のように、本実施の形態によれば、ツリー状の階層構造によって構成される複数の機能設定画面に属する機能設定画面を、上位の階層に属する直上の機能設定画面を経由せずに、同一の階層に属する別の機能設定画面に直接切替えることが可能である。つまり、従来のような一度上位階層に戻ってからの機能設定画面への移行が不要であり、利便性に優れている。また、画面切替は、タッチパネル上におけるフリック操作（ユーザーの指の第１方向の移動操作）による指示に基づいているため、操作が簡単である。したがって、機能設定画面がツリー状の階層構造を有していても、機能設定操作が簡単かつ利便性に優れた機能設定装置および機能設定装置の制御プログラム（機能設定プログラム）を提供することが可能である。
【０１２０】
本発明は、上述した実施の形態に限定されるものではなく、特許請求の範囲で種々改変することができる。
【０１２１】
例えば、上位の階層に属する直上の機能設定画面に切替えるための第１ボタンおよび下位の階層に属する直下の機能設定画面に切替えるための第２ボタンは、第２操作パネル上に配置された仮想ボタンによって構成する形態に限定されず、第２操作パネルに近隣して配置される物理ボタンから構成することも可能である。
【０１２２】
なお、本発明に係る手段、方法およびプログラムは、専用のハードウェア回路によっても実現することも可能である。また、プログラムされた画像形成装置によって本発明を実現する場合、画像形成装置を動作させるプログラムは、ＳＤメモリーカード、ＵＳＢメモリー、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供したり、記録媒体によらず、インターネット等のネットワークを介してオンラインで提供したりすることも可能である。この場合、プログラムは、通常、画像形成装置のハードディスク等の記憶装置に送信されて記憶される。また、プログラムは、単独のアプリケーションソフトウェアとして提供されてもよいし、画像形成装置の一機能として、画像形成装置のソフトウェアに組み込むことも可能である。
【符号の説明】
【０１２３】
１００  画像形成装置、
１１０  制御部、
１１１  ＣＰＵ、
１１２  ＲＡＭ、
１１３  ＲＯＭ、
１１４  ＨＤＤ、
１１５  ＬＡＮインターフェース、
１１６  ＵＳＢインターフェース、
１１７  ＦＡＸ通信部、
１１８，１１９  画像処理部、
１２０  画像読取部、
１２５  プリント部、
１３０  第１操作パネル、
１３５  第２操作パネル、
１４０  用紙トレイ部、
１５０  トップメニュー画面、
１５０Ａ  ＣＯＰＹボタン、
１５０Ｂ  ＳＣＡＮボタン、
１５０Ｃ  ＦＡＸボタン、
１６０  ＣＯＰＹ機能選択画面、
１６０Ａ  片面／両面ボタン、
１６０Ｂ  用紙サイズボタン、
１６０Ｃ  倍率設定ボタン、
１６０Ｄ  集約ボタン、
１６０Ｅ  画質ボタン、
１６０Ｆ  濃度ボタン、
１６０Ｇ，１６１Ｇ，１６２Ｇ，１６３Ｇ，１６６Ｇ，１６７Ｇ，１６８Ｇ  戻るボタン、
１６１  集約設定画面、
１６２  用紙設定画面、
１６３  片面／両面設定画面、
１６６  画質設定画面、
１６７  濃度設定画面、
１６８  倍率定画面、
１７０  ＳＣＡＮ機能選択画面、
１７０Ａ  片面／両面ボタン、
１７０Ｂ  ファイル形式ボタン、
１７０Ｃ  倍率設定ボタン、
１７０Ｄ  集約ボタン、
１７０Ｅ  画質ボタン、
１７０Ｆ  濃度ボタン、
１７０Ｇ，１７１Ｇ，１７２Ｇ，１７３Ｇ，１７６Ｇ，１７７Ｇ，１７８Ｇ  戻るボタン、
１７１  集約設定画面、
１７２  ファイル形式設定画面、
１７３  片面／両面設定画面、
１７６  画質設定画面、
１７７  濃度設定画面、
１７８  倍率設定画面、
１８０  ＦＡＸ機能選択画面、
１８０Ａ  片面／両面ボタン、
１８０Ｃ  倍率設定ボタン、
１８０Ｄ  集約ボタン、
１８０Ｅ  画質ボタン、
１８０Ｆ  濃度ボタン、
１８０Ｇ，１８１Ｇ，１８３Ｇ，１８６Ｇ，１８７Ｇ，１８８Ｇ  戻るボタン、
１８１  集約設定画面、
１８２  片面／両面設定画面、
１８６  画質設定画面、
１８７  濃度設定画面、
１８８  倍率設定画面。
【図１】
0005799861.tif 000002
【図２】
0005799861.tif 000003
【図３】
0005799861.tif 000004
【図４】
0005799861.tif 000005
【図５】
0005799861.tif 000006
【図６】
0005799861.tif 000007
【図８】
0005799861.tif 000008
【図１０】
0005799861.tif 000009
【図１４】
0005799861.tif 000010
【図１５】
0005799861.tif 000011
【図１６】
0005799861.tif 000012
【図１７Ａ】
0005799861.tif 000013
【図１７Ｂ】
0005799861.tif 000014
【図７】
0005799861.tif 000015
【図９】
0005799861.tif 000016
【図１１】
0005799861.tif 000017
【図１２】
0005799861.tif 000018
【図１３】
0005799861.tif 000019